(57)【要約】【課題】  流通過程で破断し難く、また、消費者が容易に破断できる結束ラベルを提供する。【解決手段】  第１物品９１と第２物品９２の少なくとも２つの物品を結束するため、物品に跨って貼付されて使用され、第１側縁２ａと、第１側縁２ａに対向する第２側縁２ｂと、第１物品９１に貼付される第１貼付領域２１と、第２物品９２に貼付される第２貼付領域２２と、を有するラベル基材２を有し、第１貼付領域２１と第２貼付領域２２が、第１側縁２ａと第２側縁２ｂの間において第１側縁２ａ及び第２側縁２ｂの延びる方向に並設されている結束ラベルにおいて、ラベル基材２の面内には、第１貼付領域２１と第２貼付領域２２の境界部２３に切込み線５が形成されており、切込み線５が、ラベル基材２の第１側縁２ａ及び第２側縁２ｂよりも内側に配置されている。【選択図】  図１
2014105011.tif 000002
【特許請求の範囲】
【請求項１】
第１物品と第２物品の少なくとも２つの物品を結束するため、前記物品に跨って貼付される結束ラベルであって、
第１側縁と、前記第１側縁に対向する第２側縁と、前記第１物品に貼付される第１貼付領域と、前記第２物品に貼付される第２貼付領域と、を有するラベル基材を有し、
前記第１貼付領域と第２貼付領域が、前記第１側縁と第２側縁の間において第１側縁及び第２側縁の延びる方向に並設されている結束ラベルにおいて、
前記ラベル基材の面内には、前記第１貼付領域と第２貼付領域の境界部に切込み線が形成されており、
前記切込み線が、前記ラベル基材の第１側縁及び第２側縁よりも内側に配置されている、結束ラベル。
【請求項２】
前記ラベル基材の面内には、前記切込み線の第１端部とラベル基材の第１側縁の間に、前記切込み線とは形状の異なる第１切り目が形成され、且つ、前記切込み線の第２端部とラベル基材の第２側縁の間に、前記切込み線とは形状の異なる第２切り目が形成されている、請求項１に記載の結束ラベル。
【請求項３】
前記第１切り目が、２つの小切り目を有し、前記２つの小切り目が、第１側縁から第２側縁側に向かって離反するように形成されており、
前記第２切り目が、２つの小切り目を有し、前記２つの小切り目が、第２側縁から第１側縁側に向かって離反するように形成されている、請求項２に記載の結束ラベル。
【請求項４】
前記切込み線の周囲に対応する範囲が、非粘着面とされている、請求項１乃至３のいずれか一項に記載の結束ラベル。
【請求項５】
請求項１乃至４のいずれか一項に記載の結束ラベルと、第１物品と第２物品の少なくとも２つの物品と、を有し、前記第１物品と第２物品が重ねられ、前記第１貼付領域と第２貼付領域の境界部が前記重ねた第１物品と第２物品の境界部に対応するように、前記第１物品に第１貼付領域が貼付され且つ前記第２物品に第２貼付領域が貼付されている、包装体。
【発明の詳細な説明】
【技術分野】
【０００１】
本発明は、複数の物品を１つに纏めるための結束ラベル及びその結束ラベルを用いた物品の包装体に関する。
【背景技術】
【０００２】
従来、お菓子入り包装箱や即席麺入り袋などの物品の複数個を一度で販売するために、これらの物品を重ね合わせ、各物品の表面に跨って結束ラベルを貼付して各物品を１つに纏めた包装体が知られている。
例えば、特許文献１には、対向する端縁に、該端縁と直交するように第１切り取り手段４（ミシン目４１，４２やハーフカット５１，５２）を設けた結束ラベルが開示されている。
【０００３】
しかしながら、特許文献１の結束ラベルを使用した包装体は、その流通過程において、結束ラベルの端縁から裂けていき、結束ラベルが破断するという問題点がある。
結束ラベルが破断すると、個々の物品にばらけて包装体の態を成さなくなるので、その改善が求められている。
他方、消費者が包装体を購入した後、個々の物品に容易に分離できるようにするため、結束ラベルは、包装体の開封時に、消費者が容易に分断できなければならない。
【先行技術文献】
【特許文献】
【０００４】
【特許文献１】特開２００２−２９５６５号公報
【発明の概要】
【発明が解決しようとする課題】
【０００５】
本発明の目的は、流通過程で破断し難く、また、開封時に容易に分断できる結束ラベルを提供することである。
【課題を解決するための手段】
【０００６】
本発明は、第１物品と第２物品の少なくとも２つの物品を結束するため、前記物品に跨って貼付される結束ラベルであって、第１側縁と、前記第１側縁に対向する第２側縁と、前記第１物品に貼付される第１貼付領域と、前記第２物品に貼付される第２貼付領域と、を有するラベル基材を有し、前記第１貼付領域と第２貼付領域が、前記第１側縁と第２側縁の間において第１側縁及び第２側縁の延びる方向に並設されている結束ラベルにおいて、前記ラベル基材の面内には、前記第１貼付領域と第２貼付領域の境界部に切込み線が形成されており、前記切込み線が、前記ラベル基材の第１側縁及び第２側縁よりも内側に配置されている。
【０００７】
本発明の結束ラベルは、ラベル基材に形成された切込み線が第１側縁及び第２側縁よりも内側に配置されている。このため、ラベル基材の第１側縁及び第２側縁は、それぞれ連続した１つの直線状を成し、第１側縁及び第２側縁に刻みや欠落部が存在しない。かかる結束ラベルを用いて物品を結束した包装体は、その流通過程で、結束ラベルに振動や引裂き力などが加わっても、結束ラベルの側縁から切込み線へと不用意に破断し難い。
また、包装体を開封する際には、境界部に形成された切込み線又はその近傍を、消費者が指で押圧することにより、切込み線の第１端部及び第２端部から第１側縁及び第２側縁へと破断が生じ、結束ラベルを容易に分断して、包装体を個々の物品に分離できる。
【０００８】
本発明の好ましい結束ラベルは、前記ラベル基材の面内には、前記切込み線の第１端部とラベル基材の第１側縁の間に、前記切込み線とは形状の異なる第１切り目が形成され、且つ、前記切込み線の第２端部とラベル基材の第２側縁の間に、前記切込み線とは形状の異なる第２切り目が形成されている。
切込み線の第１端部及び第２端部が第１側縁及び第２側縁から大きく離れている場合には、開封時に、第１貼付領域と第２貼付領域の境界部において結束ラベルを容易に分断できないおそれがある。この点、上記第１切り目及び第２切り目が設けられている結束ラベルは、切込み線の第１端部及び第２端部から生じた破断が、第１切り目及び第２切り目によって第１側縁側及び第２側縁側へと導かれるので、結束ラベルを境界部において容易に分断できる。
【０００９】
本発明のさらに好ましい結束ラベルは、  前記第１切り目が、２つの小切り目を有し、前記２つの小切り目が、第１側縁から第２側縁側に向かって離反するように形成されており、前記第２切り目が、２つの小切り目を有し、前記２つの小切り目が、第２側縁から第１側縁側に向かって離反するように形成されている。
このような第１切り目及び第２切り目を有することにより、切込み線の第１端部及び第２端部から生じた破断が、境界部から逸れることを防止できる。
また、流通過程などにおいて、第１側縁から結束ラベルを分断するような予期せぬ破断が生じた場合には、その破断が第１切り目に至るようになる。前記のように、第１切り目は２つの小切り目が第２側縁に向かって離反するように形成されているので、その破断が前記小切り目に導かれて切込み線へ至らずに逸れていくようになる。同様に、第２側縁から予期せぬ破断が生じた場合でも、第２切り目の２つの小切り目の作用により、その破断が切込み線へ至らずに逸れていくようになる。
このため、本発明の結束ラベルは、予期せぬ破断により、第１貼付領域と第２貼付領域の２つの領域に分断され難い。
【００１０】
本発明のさらに好ましい結束ラベルは、前記切込み線の周囲に対応する範囲が、非粘着面とされている。
かかる好ましい結束ラベルは、切込み線の周囲に対応する範囲が非粘着面とされているので、結束ラベルを物品に貼付した際に、切込み線の周囲に対応する範囲が物品に対して接着しない又は極めて弱く接着する。このため、開封時に切込み線又はその近傍を押圧した際、切込み線の近傍が歪み易く、切込み線から破断が生じ易くなる。
【００１１】
本発明の別の局面によれば、包装体を提供する。
本発明の包装体は、上記いずれかの結束ラベルと、第１物品と第２物品の少なくとも２つの物品と、を有し、前記第１物品と第２物品が重ねられ、前記第１貼付領域と第２貼付領域の境界部が前記重ねた第１物品と第２物品の境界部に対応するように、前記第１物品に第１貼付領域が貼付され且つ前記第２物品に第２貼付領域が貼付されている。
【発明の効果】
【００１２】
本発明の結束ラベルは、複数の物品を結束するために使用される。この結束ラベルを用いた包装体の流通過程で、結束ラベルが不用意に破断し難く、また、その包装体を開封する際には、結束ラベルを容易に分断することができる。
【図面の簡単な説明】
【００１３】
【図１】本発明の第１実施形態に係る結束ラベルの平面図。
【図２】同背面図。
【図３】図１のＩＩＩ−ＩＩＩ線断面図。
【図４】本発明の第１実施形態に係る包装体の右側面図。
【図５】同正面図。
【図６】本発明の他の実施形態に係る結束ラベルの平面図。
【図７】本発明のさらに他の実施形態に係る結束ラベルの平面図。
【図８】本発明のさらに他の実施形態に係る結束ラベルの平面図。
【図９】本発明のさらに他の実施形態に係る結束ラベルの平面図。
【図１０】本発明のさらに他の実施形態に係る結束ラベルの平面図。
【図１１】本発明のさらに他の実施形態に係る結束ラベルの平面図。
【図１２】本発明のさらに他の実施形態に係る結束ラベルの平面図。
【図１３】本発明のさらに他の実施形態に係る結束ラベルの平面図。
【図１４】本発明のさらに他の実施形態に係る結束ラベルの平面図。
【図１５】本発明のさらに他の実施形態に係る結束ラベルの背面図。
【発明を実施するための形態】
【００１４】
以下、本発明の実施形態について図面を参照しながら説明する。
ただし、各部又は各部材の用語の頭に第１、第２などを付す場合があるが、この第１、第２などは、用語を区別するために付加されたものであり、各部又は各部材の優劣などを意味しない。また、「ＰＰＰ〜ＱＱＱ」は、「ＰＰＰ以上ＱＱＱ以下」を意味する。
平面視形状は、結束ラベルの表面に対して鉛直方向から見た形状である。
【００１５】
［第１実施形態］
本実施形態の結束ラベルは、第１物品と第２物品の２つの物品を結束できる結束ラベルである。
図１乃至図３において、結束ラベル１の層構成は、ラベル基材２と、ラベル基材２の裏面全体に設けられた粘着剤層３と、前記粘着剤層３の裏面の一部分に設けられた隠蔽層４と、を有する。
【００１６】
前記粘着剤層３の裏面が露出した部分（隠蔽層４で隠蔽されていない部分）は、粘着面３１とされ、隠蔽層４の裏面は、非粘着面４１とされている。従って、結束ラベル１の裏面は、粘着面３１の中の一部分に非粘着面４１を有する。粘着面３１は、物品に貼り付く面であり、非粘着面４１は、物品に貼り付かない面又は粘着面３１に比して極めて小さな接着力で貼り付く面である。
なお、図２において、粘着面３１の範囲を判りやすくするために、その範囲に、便宜上、無数のドットを付加し、非粘着面４１の範囲を、白地で表している。
粘着面３１を有する結束ラベル１は、通常、離型紙の上に粘着面３１の裏面を仮貼付して、離型紙の上に複数並べて提供される（図示せず）。
【００１７】
ラベル基材２は、第１側縁２ａと、前記第１側縁２ａに対向する第２側縁２ｂと、第１物品に貼付される第１貼付領域２１と、第２物品に貼付される第２貼付領域２２と、有する。
前記第１貼付領域２１と第２貼付領域２２は、前記第１側縁２ａと第２側縁２ｂの間に存在しており、第１側縁２ａ及び第２側縁２ｂの延びる方向に順に並んで設けられている。
前記ラベル基材２の面内には、その第１貼付領域２１と第２貼付領域２２の境界部２３に、切込み線５が形成されている。この切込み線５は、前記ラベル基材２の第１側縁２ａ及び第２側縁２ｂよりも内側に配置されている。
【００１８】
具体的には、ラベル基材２の平面視形状は、複数の物品に跨って貼着できるような形状であれば特に限定されない。本実施形態では、ラベル基材２は、平面視略長方形状（又は略正方形状）に形成されている。従って、第１側縁２ａと第２側縁２ｂは、直線状に延び、互いに平行である。また、ラベル基材２の４つの角部は、円弧状などに形成されて角取りされている。
ラベル基材２は、ラベルとしての機械的強度を有する柔軟なシートであれば特に限定されず、公知のものを用いることができる。
【００１９】
ラベル基材２としては、例えば、紙、不織布、合成紙、合成樹脂製フィルムなどが挙げられる。ラベル基材２は、単層構造でもよいし、２層以上が一体的に接着された積層体でもよい。ラベル基材２が積層体である場合には、紙、不織布、合成紙、合成樹脂製フィルム及びこれら以外の機能シートから選ばれる２層以上が積層された積層体を用いることができる。
特に、機械的強度に優れ且つ柔軟性があることから、合成紙若しくは合成樹脂製フィルムの単層又は合成紙若しくは合成樹脂製フィルムを含む積層体を用いることが好ましい。
【００２０】
合成紙としては、例えば、（株）ユポ・コーポレーションの商品名「ユポ」、東洋紡績（株）の商品名「クリスパー」などを用いることができる。
合成樹脂製フィルムとしては、例えば、ポリエチレンテレフタレートやポリ乳酸などのエステル系樹脂、ポリプロピレンなどのオレフィン系樹脂、スチレン−ブタジエン共重合体などのスチレン系樹脂、環状オレフィン系樹脂、塩化ビニル系樹脂などの熱可塑性樹脂を含む延伸フィルムなどを用いることができ、中でも機械的強度に優れることから、これらの二軸延伸フィルムを用いることが好ましい。
ラベル基材２の厚みは、特に限定されない。合成紙又は合成樹脂製フィルムの単層からなるラベル基材２の厚みは、例えば２５μｍ〜１２０μｍであり、好ましくは３０μｍ〜１００μｍである。
【００２１】
ラベル基材２は、透明又は不透明でもよいが、物品の表面を結束ラベル１の上から透視できるようにするため、透明なラベル基材２を用いることが好ましい。
また、ラベル基材２には、必要に応じて、所望の表示が印刷されていてもよい。透明なラベル基材２を用いる場合には、前記所望の表示は、ラベル基材２の表面又は裏面の何れに印刷されていてもよい。なお、透明は、透明体の表面から透明体の裏面側に存在するものを識別できる程度（透視できる程度）に光を通すことをいい、透明体自体は無色でも有色でもよい。不透明なラベル基材２を用いる場合には、前記所望の表示は、ラベル基材２の表面に印刷される。
【００２２】
粘着剤層３は、ラベル基材２の裏面に粘着剤を塗布することにより設けられている。粘着剤は、物品に接着可能な剤であって、被着体に接着後も持続した粘着性を有するものである。粘着剤は、被着体から剥離することができ且つ剥離後再貼付可能なものでもよいし、或いは、被着体から剥離した後再貼付不可能なものでもよい。粘着剤層３は、ラベル基材２よりも薄く且つ機械的強度が弱い層であり、人力で容易に分断できる。
粘着剤層３は、ラベル基材２の裏面全体にベタ状に設けられていてもよいし、ラベル基材２の裏面全体に、平面視格子状又は無数のドット状などに設けられていてもよい。粘着剤層３は結束ラベル１の裏面全体が実質的に物品に付着するように設けられていればよいので、図示したようなベタ状以外に、前記格子状などに設けることも可能である。
【００２３】
粘着剤としては、例えば、アクリル系、ゴム系などの感圧型粘着剤を用いることができる。
感圧型粘着剤は、室温で粘着性を有し、加圧することによって被着体に接着する粘着剤であって、被着体から剥離後再貼付可能なものである。
なお、粘着剤として、感熱性粘着剤を用いることも可能である。感熱性粘着剤は、室温下で粘着性を示さず、且つ加熱することによって粘着性を発揮する粘着剤である。粘着剤層３が感熱性粘着剤からなる場合には、結束ラベル１を離型紙の上に仮貼着せずに提供することも可能である。
【００２４】
また、粘着剤は、透明なものを用いることが好ましい。結束ラベル１を粘着剤層３を介して物品に貼着したときには物品の表面とラベル基材２の間に粘着剤層３が介在するので、粘着剤層３が不透明であると、透明なラベル基材２を用いた意義が失われるからである。
粘着剤層３の厚みは、特に限定されず、通常、１５μｍ〜３０μｍである。
【００２５】
隠蔽層４は、粘着剤層３の裏面にマスキング剤を塗布することにより設けられている。
前記隠蔽層４は、粘着剤の粘着力を隠蔽する又は弱めるための層であり、マスキング剤の硬化層からなる。マスキング剤は、従来公知のものを用いることができ、代表的には、紫外線硬化型メジウムインキなどの紫外線硬化型樹脂を含む塗工液が挙げられる。なお、隠蔽層４自体には、粘着力は有さない。
隠蔽層４は、ラベル基材２よりも薄く且つ機械的強度が弱い層であり、人力で容易に分断できる。
また、隠蔽層４は、透明又は不透明でもよいが、物品の表面を透視できるようにするために、透明な隠蔽層４が好ましい。
隠蔽層４の厚みは、特に限定されず、通常、１μｍ〜１０μｍである。
【００２６】
隠蔽層４は、切込み線５の周囲の範囲（切込み線５を含む帯状範囲）に対応して設けられている。従って、結束ラベル１の裏面（物品へ接する面）のうち、前記切込み線５の周囲に対応する範囲が、非粘着面４１とされている。
前記切込み線の周囲に対応する範囲の大きさ（つまり、本実施形態の非粘着面４１の大きさ）は、適宜設定できる。例えば、その長さ（切込み線５の延びる方向における非粘着面４１の長さ）は、切込み線５の長さ＋１ｍｍ〜切込み線５の長さ＋１０ｍｍであり、その幅（切込み線５の延びる方向に対して直交する方向おける非粘着面４１の長さ）は、２ｍｍ〜１５ｍｍである。なお、切込み線５の長さは、後述する。
【００２７】
切込み線５は、ラベル基材２（及び粘着剤層３）の表裏面に貫通する１つの細長い貫通孔又は複数の貫通孔の集合である。
本実施形態では、切込み線５は、同様な平面視形状を有する複数の貫通孔６の集合からなる。ただし、本実施形態において、切込み線５は、これら複数の貫通孔が繋がった１つの細長い貫通孔でもよい（図示せず）。
詳細には、図示例の切込み線５は、所要の平面視形状の貫通孔６の複数を、所要間隔を開けて一方向に並べて形成した、同様な形状の貫通孔６の集合である。このような複数の貫通孔６の集合は、一般に、ミシン目線と呼ばれる。
複数の貫通孔６からなる切込み線５において、１つの貫通孔６の平面視形状は、特に限定されず、直線状、円形状、楕円形状などが挙げられる。その１つの貫通孔６の長さ（切込み線５の延びる方向における長さ）は、特に限定されないが、余りに短いと、開封時に切込み線５から結束ラベル１を破断し難くなるので、１つの貫通孔６の長さは、１ｍｍ〜１０ｍｍが好ましい。
【００２８】
切込み線５は、第１貼付領域２１と第２貼付領域２２の境界部２３において、ラベル基材２の中央部（第１側縁２ａと第２側縁２ｂの間の中央部）から第１側縁２ａ及び第２側縁２ｂの延びる方向に対して略直交する方向に延設されている。
切込み線５は、両端部を有する有端状の線であり、好ましくは、有端直線状の線である。切込み線５の第１端部５ａ（両端部の一方）は、第１側縁２ａよりも内側に配置され、切込み線５の第２端部５ｂ（両端部の他方）は、第２側縁２ｂよりも内側に配置されている。
【００２９】
なお、本実施形態の切込み線５は、複数の貫通孔６の集合からなるので、その貫通孔６の集合全体を一つに見立てて、有端状、好ましくは有端直線状とされている。従って、図示例の切込み線５の第１端部５ａは、第１側縁２ａ側に位置する貫通孔６の端部に相当し、切込み線５の第２端部５ｂは、第２側縁２ｂ側に位置する貫通孔６の端部に相当する。
切込み線５の長さ（第１端部５ａから第２端部５ｂまでの直線長さ）は、特に限定されないが、余りに小さいと、開封時に切込み線５から結束ラベル１を破断し難くなるので、その長さは、１０ｍｍ〜４０ｍｍが好ましい。
【００３０】
さらに、ラベル基材２の面内には、切込み線５の第１端部５ａとラベル基材２の第１側縁２ａの間に、第１切り目７が形成されている。同様に、切込み線５の第２端部５ｂとラベル基材２の第２側縁２ｂの間に、第２切り目８が形成されている。
第１切り目７及び第２切り目８は、それぞれ１つだけ形成されていてもよいし、複数（２つ以上）形成されていてもよい。
第１切り目７及び第２切り目８は、開封時に、切込み線５の第１端部５ａ及び第２端部５ｂから生じた破断を境界部２３に沿って第１側縁２ａ側及び第２側縁２ｂ側へと導くために設けられる。このため、切込み線５の第１端部５ａ及び第２端部５ｂが第１側縁２ａ及び第２側縁２ｂから大きく離れている場合には、第１切り目７及び第２切り目８は、それぞれ複数（例えば、２つ〜５つ）形成することが好ましい。
【００３１】
複数の第１切り目７は、切込み線５の第１端部５ａからラベル基材２の第１側縁２ａに向かって、所要間隔を開けて形成され、同様に、複数の第２切り目８は、切込み線５の第２端部５ｂからラベル基材２の第２側縁２ｂに向かって、複数の第２切り目８が間隔を開けて形成されている。
第１切り目７及び第２切り目８は、ラベル基材２（及び粘着剤層３）の表裏面に貫通する貫通部又はラベル基材２の表面（若しくは裏面）から厚み方向に刻まれた非貫通部（いわゆるハーフカット部）である。
本実施形態では、第１切り目７及び第２切り目８は、ラベル基材２及び粘着剤層３の表裏面に貫通する貫通部である。
【００３２】
第１切り目７及び第２切り目８は、それぞれ切込み線５の延びる方向上に複数並んで設けられている。
第１切り目７及び第２切り目８は、それぞれ、厚み方向に貫通する点で切込み線５と共通するが、第１切り目７及び第２切り目８の各平面視形状は、切込み線５のそれとは異なっている。
【００３３】
第１切り目７及び第２切り目８のそれぞれは、好ましくは、２つの小切り目７１，７１，８１，８１を有する。
前記第１切り目７の２つの小切り目７１，７１は、第１側縁２ａから第２側縁２ｂ側に向かって離反するように延びて形成されている。前記２つの小切り目７１，７１は、平面視直線状でもよいし、平面視弧状でもよい。好ましくは、前記第２側縁２ｂ側に向かって延びる２つの小切り目７１，７１は、第２側縁２ｂに近づくにつれて切込み線５の延びる方向の延長線から離反するようにそれぞれ形成されており、より好ましくは、前記２つの小切り目７１，７１は、切込み線５の延びる方向の延長線を基準にした線対称に形成されている。
前記切込み線の延びる方向の延長線は、切込み線の第１端部と第２端部を通る仮想の直線を意味する。以下、切込み線の延びる方向の延長線を、単に「切込み線延長線」という。
【００３４】
前記第２切り目８の２つの小切り目８１，８１は、第２側縁２ｂから第１側縁２ａ側に向かって離反するように延びて形成されている。前記２つの小切り目８１，８１は、平面視直線状でもよいし、平面視弧状でもよい。好ましくは、前記第１側縁２ａ側に向かって延びる２つの小切り目８１，８１は、第１側縁２ａに近づくにつれて切込み線延長線から離反するようにそれぞれ形成されており、より好ましくは、前記２つの小切り目８１，８１は、切込み線延長線を基準にした線対称に形成されている。
【００３５】
図示例では、第１切り目７及び第２切り目８は、それぞれ平面視略Ｖ字状に形成されている。
略Ｖ字状の第１切り目７は、２つの小切り目７１，７１を有し、その２つの小切り目７１，７１が第１側縁２ａに向かうに従って徐々に近づくように傾斜状に形成され且つその２つの小切り目７１，７１の端部同士が連結されている。その２つの小切り目７１，７１の成す内角は、鋭角、鈍角又は直角の何れでもよい。好ましくは、前記略Ｖ字状の第１切り目７は、２つの小切り目７１，７１が切込み線延長線を基準にして線対称となるように配置されている。もっとも、２つの小切り目７１，７１は、前記線対称の関係に配置されていなくてもよい。
【００３６】
略Ｖ字状の第２切り目８は、２つの小切り目８１，８１を有し、その２つの小切り目８１，８１が第２側縁２ｂに向かうに従って徐々に近づくように傾斜状に形成され且つその２つの小切り目８１，８１の端部同士が連結されている。その２つの小切り目８１，８１の成す内角は、鋭角、鈍角又は直角の何れでもよい。好ましくは、前記略Ｖ字状の第２切り目８は、２つの小切り目８１，８１が切込み線延長線を基準にして線対称となるように配置されている。もっとも、２つの小切り目８１，８１は、前記線対称の関係に配置されていなくてもよい。
略Ｖ字状の複数の第１切り目７は、その尖状部７２（小切り目７１，７１の連結部）が第１側縁２ａ側に向くようにそれぞれ配置され、略Ｖ字状の複数の第２切り目８は、その尖状部８２（小切り目８１，８１の連結部）が第２側縁２ｂ側に向くようにそれぞれ配置されている。
【００３７】
複数の第１切り目７は、切込み線５の第１端部５ａ及びラベル基材２の第１側縁２ａに繋がっておらず、所要間隔を開けて切込み線５の延びる方向上に並設されている。複数の第２切り目８は、切込み線５の第２端部５ｂ及びラベル基材２の第２側縁２ｂに繋がっておらず、所要間隔を開けて切込み線５の延びる方向上に並設されている。従って、ラベル基材２の第１側縁２ａ及び第２側縁２ｂは、刻みや欠落部を有さず、連続した１つの直線状であり、又、複数の第１切り目７及び複数の第２切り目８は、それぞれ独立している。
隣接する第１切り目７の間隔（１つの第１切り目７の尖状部７２とそれに隣接する第１切り目７の尖状部７２の間の最短長さ）及び隣接する第２切り目８の間隔（１つの第２切り目８の尖状部８２とそれに隣接する第２切り目８の尖状部８２の間の最短長さ）は、特に限定されないが、３ｍｍ〜１０ｍｍが好ましい。
なお、図示例では、複数の第１切り目７と複数の第２切り目８は、切込み線５の中心部を基準にして対称的に形成されている。
【００３８】
最も外側の第１切り目７とラベル基材２の第１側縁２ａの間の長さ（第１切り目７の尖状部７２と第１側縁２ａの間の最短長さ）は、特に限定されないが、余りに第１切り目７が第１側縁２ａに近すぎると、包装体の流通過程で第１切り目７から第１側縁２ａへと不用意に破断するおそれがある。従って、前記第１切り目７とラベル基材２の第１側縁２ａの間の長さは、３ｍｍ以上が好ましく、５ｍｍ以上がより好ましい。
最も外側の第２切り目８とラベル基材２の第２側縁２ｂの間の長さ（第２切り目８の尖状部８２と第２側縁２ｂの間の最短長さ）は、特に限定されないが、余りに第２切り目８が第２側縁２ｂに近すぎると、包装体の流通過程で第２切り目８から第２側縁２ｂへと不用意に破断するおそれがある。従って、前記第２切り目８とラベル基材２の第２側縁２ｂの間の長さは、３ｍｍ以上が好ましく、５ｍｍ以上がより好ましい。
【００３９】
上記結束ラベル１を、第１物品９１と第２物品９２を跨いでそれらに貼付することにより、図４及び図５に示すような、包装体１０が得られる。
結束ラベル１は、物品積層物９（重ねられた第１物品９１と第２物品９２）に対して１枚だけ貼着してもよいが、安定的に複数の物品を結束するために、物品積層物９に対して２枚以上の結束ラベル１を貼着することが好ましい。つまり、１つの包装体１０においては、２枚以上の結束ラベル１を用いて各物品が結束されていることが好ましい。
この場合、通常、２枚の結束ラベル１が、物品積層物９の１つの面及び他の面にそれぞれ貼着される。なお、物品積層物９の他の面は、物品積層物９の１つの面に略直交状に位置する面でもよいが、前記１つの面に対向する面（１つの面の反対面）であることが好ましい。物品積層物９の対向する２つの面にそれぞれ結束ラベル１を跨って貼着することにより、重ねられた各物品が２つの結束ラベル１によって挟持されるので、安定した包装体１０が得られる。
【００４０】
図示例では、物品積層物９の一方の側面と他方の側面の両方に、結束ラベル１が貼付されている。
具体的には、包装体１０は、重ねた第１物品９１と第２物品９２の境界部（第１物品９１の裏面と第２物品９２の表面が接する部分）に結束ラベル１の境界部２３が対応するように位置合わせして、第１物品９１の一方の側面に１つの結束ラベル１の第１貼付領域２１が貼付され且つ第２物品９２の一方の側面に１つの結束ラベル１の第２貼付領域２２が貼付され、第１物品９１の他方の側面にもう１つの結束ラベル１の第１貼付領域２１が貼付され且つ第２物品９２の他方の側面にもう１つの結束ラベル１の第２貼付領域２２が貼付されている。
【００４１】
物品は、特に限定されず、例えば、目的物が収納された箱、目的物が収納された軟包材、目的物が収納された金属缶、目的物そのものなどが挙げられる。目的物とは、実質的に取引の対象になっているものであり、例えば、食品、化粧品、文房具類、様々な用途の樹脂成形品などが挙げられる。
開封時に結束ラベル１の境界部２３を押圧したときに、結束ラベル１が変形して、結束ラベル１が破断し易くなることから、物品は、目的物が収納された軟包材であることが好ましい。軟包材としては、例えば、柔軟フィルムからなるパウチやピロー包装袋などの柔軟フィルムからなる袋状の包材などが挙げられる。
【００４２】
本発明の結束ラベル１は、ラベル基材２に形成された切込み線５、第１切り目７及び第２切り目８が第１側縁２ａ及び第２側縁２ｂよりも内側に配置されているため、ラベル基材２の第１側縁２ａ及び第２側縁２ｂがそれぞれ連続した１つの直線状を成し、第１側縁２ａ及び第２側縁２ｂに刻みや欠落部が存在しない。かかる結束ラベル１を用いた包装体１０は、その流通過程で、結束ラベル１に振動や引裂き力などが加わっても、結束ラベル１の側縁から切込み線５並びに第１切り目７及び第２切り目８へと不用意に破断し難い。
【００４３】
他方、消費者が包装体１０を開封する際には（つまり、結束ラベル１で纏められた複数の物品を個々に分離する際には）、境界部２３の切込み線５又はその近傍の表面を、指で押圧する。押圧により、切込み線５の第１端部５ａ及び第２端部５ｂから破断が生じ、その破断が複数の第１切り目７及び第２切り目８を伝って進行した後、第１側縁２ａ及び第２側縁２ｂへと導かれ、第１貼付領域２１と第２貼付領域２２のほぼ２つの領域に結束ラベル１を分断できる。
よって、消費者が、結束ラベル１を容易に分断して、包装体１０を各物品に分離できる。
【００４４】
なお、開封時、切込み線５の端部から生じた破断は、必ずしも切込み線５の延びる方向と平行に進行せず、切込み線５の延びる方向から斜めに逸れて、ラベル基材２の境界部２３に沿って分断困難となる場合もある。
この点、本発明の結束ラベル１は、切込み線５の第１端部５ａの先には、第１側縁２ａから第２側縁２ｂに向かって離反する２つの小切り目７１，７１を有する第１切り目７が設けられ、且つ、切込み線５の第２端部５ｂの先には、第２側縁２ｂから第１側縁２ａに向かって離反する２つの小切り目８１，８１を有する第２切り目８が設けられている。このため、前記斜めに逸れた破断が、第１切り目７及び第２切り目８の２つの小切り目７１，７１，８１，８１の何れかに捉えられ、その破断が第１切り目７及び第２切り目８の先から（略Ｖ字状の第１切り目７及び第２切り目８の場合には、尖状部７２，８２から）隣接する第１切り目７及び第２切り目８の小切り目７１，８１に至るようになる。このため、境界部２３において結束ラベル１をほぼ２つの領域に確実に分断できる。
【００４５】
他方、仮に、第１側縁２ａから予期せぬ破断が生じ、その破断が第１切り目７に至っても、２つの小切り目７１，７１が第２側縁２ｂに向かって離反するように形成されているので、その破断が切込み線５へ至らずに逸れていき、結束ラベル１が、第１貼付領域２１と第２貼付領域２２の２つの領域に分断されることを防止できる。仮に、第２側縁２ｂから予期せぬ破断が生じた場合も、第２切り目８の同様の作用により、結束ラベル１が、２つの領域に分断されることを防止できる。
【００４６】
［他の実施形態］
本発明の結束ラベル及びそれを用いた包装体は、上記第１実施形態に限られず、適宜変更可能である。
以下、その他の実施形態の結束ラベル及び包装体について説明するが、上記第１実施形態と同様の構成及び効果は、（その説明をしたものとして）説明を省略する。
【００４７】
上記第１実施形態において、第１切り目７及び第２切り目８は、平面視略Ｖ字状に形成されているが、この形状に限られず、例えば、図６に示すように、平面視略Ｙ字状でもよい。この略Ｙ字状は、上記第１実施形態の略Ｖ字状の尖状部７２，８２に、さらに、別の小切り目７３，８３が連結された形状である。換言すると、略Ｙ字状の第１切り目７及び第２切り目８は、２つの小切り目７１，７１，８１，８１から平面視略Ｖ字状に形成された部分と、その尖状部７２，８２に連結された小切り目７３，８３と、を有する形状である。
【００４８】
かかる略Ｙ字状の第１切り目７及び第２切り目８を有する場合でも、上記第１実施形態と同様に、開封時、破断が切込み線５の端部５ａ，５ｂから第１切り目７及び第２切り目８を通じて第１側縁２ａ及び第２側縁２ｂに至るようになる。
なお、図６では、切込み線５として１つの細長い貫通孔を形成した場合を示しているが、この切込み線５は、図１のような複数の貫通孔６の集合でもよい（以下、同様）。
【００４９】
また、図７に示すように、第１切り目７が、２つの小切り目７１，７１を有し、その小切り目７１，７１の端部は繋がっておらず、第１側縁２ａ及び第２側縁２ｂに向かうに従って徐々に小切り目７１，７１の端部が近づくように形成されていてもよい（２つの小切り目７１，７１が平面視略ハの字状に配置されている）。第２切り目８についても、同様に、２つの小切り目８１，８１の端部が繋がっていない。
かかる第１切り目７及び第２切り目８を有する場合でも、上記第１実施形態と同様に、開封時、破断が切込み線５の端部５ａ，５ｂから第１切り目７及び第２切り目８を通じて第１側縁２ａ及び第２側縁２ｂに至るようになる。
【００５０】
また、図８に示すように、第１切り目７の小切り目７１，７１の各端部（小切り目の２つの端部のうち第２側縁２ｂ側の端部）に、返し切り目７８，７８が形成されていてもよい。この返し切り目７８，７８は、小切り目７１，７１の端部（小切り目の第２側縁２ｂ側の端部）に連設され、小切り目７１，７１の延びる方向とは異なる方向に延びている。
返し切り目７８，７８は、それぞれ切込み線延長線から離れる方向に延びて形成されていてもよいが、図示したように、それぞれ切込み線延長線に近づく方向に延びて形成されていることが好ましい。切込み線延長線に近づように返し切り目７８，７８が形成されていることにより、第１側縁２ａから生じた予期せぬ破断を、返し切り目７８，７８を通じて、切込み線５へ至らないように逸らすことができる。より好ましくは、図８に示すように、返し切り目７８，７８は、それぞれ切込み線延長線に対して直交する方向で且つ切込み線延長線に近づくように形成される。特に好ましくは、図９に示すように、返し切り目７８，７８は、それぞれ切込み線延長線に対して鋭角方向で（換言すると第１側縁２ａに近づくように）且つ切込み線延長線に近づくように形成される。
【００５１】
また、第２切り目８の小切り目８１，８１の各端部（小切り目の２つの端部のうち第１側縁２ａ側の端部）に、返し切り目８８，８８が形成されていてもよい。
この返し切り目８８，８８は、小切り目８１，８１の端部（小切り目の第１側縁２ａ側の端部）に連設され、小切り目７１，７１の延びる方向とは異なる方向に延びている。
返し切り目８８，８８は、それぞれ切込み線延長線から離れる方向に延びて形成されていてもよいが、図８に示すように、それぞれ切込み線延長線に近づく方向に延びて形成されていることが好ましい。切込み線延長線に近づように返し切り目８８，８８が形成されていることにより、第２側縁２ｂから生じた予期せぬ破断を、返し切り目８８，８８を通じて、切込み線５へ至らないように逸らすことができる。より好ましくは、図８に示すように、返し切り目８８，８８は、それぞれ切込み線延長線に対して直交する方向で且つ切込み線延長線に近づくように形成される。特に好ましくは、図９に示すように、返し切り目８８，８８は、それぞれ切込み線延長線に対して鋭角方向で（換言すると第２側縁２ｂに近づくように）且つ切込み線延長線に近づくように形成される。
【００５２】
なお、図８及び図９においては、第１切り目７及び第２切り目８として、平面視略Ｙ字状のものを図示しているが、平面視略Ｖ字状や平面視略ハの字状などのその他の平面視形状を有する第１切り目７及び第２切り目８に、前記返し切り目７８，８８を適宜設けてもよい。
【００５３】
上記第１実施形態においては、切込み線５は、境界部２３に１本形成されているが、複数形成されていてもよい。
例えば、図１０に示すように、切込み線５が、ラベル基材２の境界部２３の中央部において、第１側縁２ａの延びる方向に対して略直交する方向に延びる２つの第１切込み線５１及び第２切込み線５２と、その第１切込み線５１と第２切込み線５２の各中央部に連結され且つ第１側縁２ａと略平行に延びる第３切込み線５３と、から構成されていてもよい。図示例の場合、切込み線５は、３本の切込み線からなり、全体として平面視略Ｈ字状に形成されている。
このような切込み線５を有する場合でも、開封時、第１切込み線５の端部又は第２切込み線５の端部から破断が生じ、結束ラベル１を分断できる。
【００５４】
なお、この場合、第１切込み線５１の第１端部及び第２端部並びに第２切込み線５２の第１端部及び第２端部にそれぞれ対応して、第１切り目７及び第２切り目８が設けられていることが好ましい。この第１切り目７は、第１側縁２ａから第２側縁２ｂ側に向かって離反する２つの小切り目７１，７１を有し、第２切り目８は、第２側縁２ｂから第１側縁２ａ側に向かって離反する２つの小切り目８１，８１を有する。
【００５５】
さらに、上記第１実施形態では、第１切り目７は、端部が第２側縁２ｂに向かうに従って離反するように形成された２つの小切り目７１，７１を有し、第２切り目８は、端部が第１側縁２ａに向かうに従って離反するように形成された２つの小切り目８１，８１を有するが、第１切り目７及び第２切り目８の平面視形状はこれに限定されない。
例えば、図１１に示すように、第１切り目７は、端部が第２側縁２ｂに向かうに従って徐々に近づくように形成された２つの小切り目７４，７４を有してもよい。また、第２切り目８は、端部が第１側縁２ａに向かうに従って徐々に近づくように形成された２つの小切り目８４，８４を有してもよい。
【００５６】
さらに、上記第１実施形態では、切込み線５の第１端部５ａ及び第２端部５ｂと第１側縁２ａ及び第２側縁２ｂの間に第１切り目７及び第２切り目８が設けられているが、このうち、何れか一方が設けられていなくてもよく、又、図１２に示すように、ラベル基材２に、（第１切り目及び第２切り目の双方が設けられておらず）切込み線５のみが設けられていてもよい。
【００５７】
第１切り目及び第２切り目が設けられていない場合、切込み線５の第１端部５ａとラベル基材２の第１側縁２ａの間の長さ（第１端部５ａと第１側縁２ａの間の最短長さ）及び切込み線５の第２端部５ｂとラベル基材２の第２側縁２ｂの間の長さ（第１端部５ａと第１側縁２ａの間の最短長さ）は、特に限定されないが、余りに切込み線５の第１端部５ａ及び第１端部５ａが第１側縁２ａ及び第２側縁２ｂに近すぎると、包装体１０の流通過程で切込み線５の第１端部５ａ又は第２端部５ｂから第１側縁２ａ又は第２側縁２ｂへと不用意に破断するおそれがある。かかる観点から、前記切込み線５の第１端部５ａ及び第２端部５ｂと第１側縁２ａ及び第２側縁２ｂの間の長さは、それぞれ５ｍｍ以上が好ましく、特に１０ｍｍ以上がより好ましい。
【００５８】
他方、前記前記切込み線５の第１端部５ａ及び第２端部５ｂと第１側縁２ａ及び第２側縁２ｂの間の長さが大きくても、結束ラベル１を分断できる。もっとも、ラベル基材２に、第１切り目７及び第２切り目８を形成しない場合、切込み線５の第１端部５ａ及び第２端部５ｂが第１側縁２ａ及び第２側縁２ｂから大きく離れていると、開封時に、第１端部５ａ及び第２端部５ｂから生じた破断が逸れて、境界部２３に沿って結束ラベル１を容易に分断できないおそれがある。かかる観点から、前記切込み線５の第１端部５ａ及び第２端部５ｂと第１側縁２ａ及び第２側縁２ｂの間の長さは、それぞれ２０ｍｍ以下であることが好ましい。
【００５９】
また、上記第１実施形態では、ラベル基材２の第１側縁２ａ及び第２側縁２ｂは、何れも直線状に形成されているが、これらの側縁は直線状に限られず、例えば、図１３に示すように、外側へ膨らんだ円弧状でもよいし、図示しないが、内側に凹んだ円弧状に形成されていてもよい。なお、第１側縁２ａ及び／又は第２側縁２ｂが円弧状に形成されている場合でも、その第１側縁２ａ及び第２側縁２ｂは、刻みや欠落部が存在しておらず、連続した１つの円弧である（例えば、１つの所望の曲率を有する円弧）。
【００６０】
さらに、上記第１実施形態では、２つの物品を結束する結束ラベル１を例示しているが、３つ以上の物品を結束できるように、結束ラベル１を変更することも可能である。
例えば、図１４に示す結束ラベル１は、３つの貼付領域を有し、３つの物品に跨がって貼付可能である。第１貼付領域と第２貼付領域の境界部及び第２貼付領域と第３貼付領域の境界部には、切込み線５（必要に応じて第１切り目７及び第２切り目８）がそれぞれ形成されている。
【００６１】
また、上記第１実施形態では、結束ラベル１の裏面のうち、切込み線５の周囲に対応する範囲が、非粘着面４１とされているが、例えば、図１５に示すように、ラベル基材２の境界部２３（切込み線５、第１切り目７及び第２切り目８を含む境界部２３）に対応する帯状の範囲が非粘着面４１とされていてもよい。この場合、非粘着面４１は、上記第１実施形態の切込み線５の周囲に対応する範囲と第１切り目７及び第２切り目８の周囲に対応する範囲に設けられている。上記第１実施形態及びこの他の実施形態のように、少なくとも切込み線５の周囲に対応する範囲が非粘着面４１とされていれば、切込み線５（図１５の他の実施形態の場合には、切込み線５、第１切り目７及び第２切り目８）の近傍が物品に接着しなくなるので、開封時に押圧した際、切込み線５の近傍が歪み易く、切込み線５の端部から破断が生じ易くなる。他方、ラベル基材２の境界部２３に粘着面３１が設けられていなくても、第１貼付領域２１及び第２貼付領域２２などの貼付領域に粘着面３１が設けられていれば、複数の物品を結束することができる。
なお、図１５において、粘着面３１の範囲に、便宜上、無数のドットを付加し、非粘着面４１の範囲を、白地で表している。
【００６２】
なお、特に図示しないが、結束ラベル１の裏面全体が粘着面とされていてもよいし、或いは、結束ラベル１の裏面のうち縁部の一部のみが非粘着面とされ、且つそれ以外（切込み線５の周囲に対応する範囲を含む）が粘着面とされていてもよい。
【００６３】
また、非粘着面４１の形成方法は、粘着剤層３の上に隠蔽層４を設ける方法に限定されない。例えば、粘着面３１の形成範囲にのみ粘着剤層３を設けることにより、非粘着面４１を形成することもできる。つまり、非粘着面４１の形成予定範囲を除いて、ラベル基材２の裏面に粘着剤層３を設けてもよい（図示せず）。
【００６４】
また、上記第１実施形態において、結束ラベル１の供給形態として、結束ラベル１の複数を離型紙の上に仮貼付することを例示したが、これに限定されず、離型紙を使用しないで結束ラベル１を提供することもできる。
例えば、本発明においては、表面にシリコーン樹脂などを含む離型層を形成した結束ラベル１の複数を繋ぎ合わせたラベル長尺体を構成し、そのラベル長尺体を粘着テープの如くロール状に巻き取る形態で提供することもできる。なお、このラベル長尺体は、長尺状のラベル基材の長手方向に、上記切込み線５などの各構成が所定間隔を開けて形成されたものであり、使用時に、個々の結束ラベル１を切り出すものである。
【００６５】
その他、上記様々な実施形態の構成を適宜組み合わせ又は置換してもよい。
例えば、図１０に示す結束ラベル１において、第１切り目７及び／又は第２切り目８が平面視略Ｖ字状又は略Ｙ字状に形成されていてもよい。
さらに、第１切り目７と第２切り目８は、同様な平面視形状に限られず、例えば、第１切り目７を平面視略Ｖ字状に形成し、第２切り目８を平面視略Ｙ字状に形成してもよい。
【符号の説明】
【００６６】
１…結束ラベル、２…ラベル基材、２ａ…ラベル基材の第１側縁、２ｂ…ラベル基材の第２側縁、２１…第１貼付領域、２２…第２貼付領域、２３…境界部、３…粘着剤層、３１…粘着面、４…隠蔽層、４１…非粘着面、５…切込み線、５ａ…切込み線の第１端部、５ｂ…切込み線の第２端部、７…第１切り目、８…第２切り目、９…物品積層物、９１…第１物品、９２…第２物品
【図１】
2014105011.tif 000003
【図２】
2014105011.tif 000004
【図３】
2014105011.tif 000005
【図４】
2014105011.tif 000006
【図５】
2014105011.tif 000007
【図６】
2014105011.tif 000008
【図７】
2014105011.tif 000009
【図８】
2014105011.tif 000010
【図９】
2014105011.tif 000011
【図１０】
2014105011.tif 000012
【図１１】
2014105011.tif 000013
【図１２】
2014105011.tif 000014
【図１３】
2014105011.tif 000015
【図１４】
2014105011.tif 000016
【図１５】
2014105011.tif 000017